(57)【要約】      （修正有）【課題】特別なハードウェアの実装なしに、親機とペアリングされた子機の識別を容易にしたコードレス電話機を提供する。【解決手段】コードレス電話機１００は、親機１が、子機２と共通のユニークな識別情報と、識別情報ごとの報知パターン情報が登録された記憶部１３、１６と、子機２が親機１に載置されたことを検出する検出部（フック検出信号検出部１８ａ）と、報知パターン情報にしたがう報知を行う報知部１４と、検出部が子機の載置を検出すると、報知部に対し報知パターンに従う報知を行なわせると共に、識別情報に一致する子機に対し報知開始指示信号を送信して指定された報知パターンによる報知を促す制御部（親機制御部１８）と、を備える。【選択図】図１
2018182702.tif 000002
【特許請求の範囲】
【請求項１】
回線に接続されて呼制御を行う親機と、前記親機に無線回線を介して接続され、前記回線を経由して通話を行う子機とを有するコードレス電話機であって、  前記親機は、  前記子機と共通のユニークな識別情報と、識別情報ごとの報知パターン情報が登録された記憶部と、  前記子機が親機に載置されたことを検出する検出部と、  前記報知パターン情報にしたがう報知を行う報知部と、  前記検出部が、前記子機が載置されたことを検出すると、前記報知部に対し前記報知パターンに従う報知を行なわせると共に、前記識別情報に一致する子機に対し報知開始指示信号を送信して前記報知パターンによる報知を促す制御部と、  を備えたことを特徴とするコードレス電話機。
【請求項２】
前記記憶部に登録される識別情報は、ＤＥＣＴ規格のＲＦＰＩフォーマットで指定されるＰＩＮコードであり、前記報知パターン情報を前記ＰＩＮコードの特定のビットに割り当て指定することを特徴とする請求項１に記載のコードレス電話機。
【請求項３】
前記報知部は発光手段を含み、  前記制御部は、  前記記憶部から前記報知パターン情報を読み出し、前記報知パターン情報により指定された点灯色、又は指定された点灯色による点灯パターンにしたがい前記発光手段の点灯制御を行うことを特徴とする請求項１に記載のコードレス電話機。
【請求項４】
前記報知部は音声出力手段を含み、  前記制御部は、  特定のキー押下を検出すると前記記憶部から前記報知パターン情報を読み出し、前記報知パターン情報により指定された音声にしたがい前記音声出力手段の音声出力制御を行うことを特徴とする請求項１又は２に記載のコードレス電話機。 
【発明の詳細な説明】
【技術分野】
【０００１】
本発明は、親機と子機とからなるコードレス電話機で、特に、親機と子機とのペアリングの識別技術に関するものである。
【背景技術】
【０００２】
コードレス電話機において、親機が固定された子機は、親機との無線が届く範囲で持ち歩いて使用することが多い。一方、ビジネスホンの場合、自分の周囲にもコードレス電話機が複数ある場合が多く、子機を持って通話しながら移動し、通話が終了すると、そのまま子機を置きっぱなしにすることが多々ある。このため、再度通話したい場合に、使用していた子機が無いことに気付くことが少なくない。このような場合に、子機を取りに行くが、放置されている子機が多数あると、どの子機が自分が使用している親機の子機かが分からなくなることがある。  
【０００３】
このような問題を解決するために、例えば、特許文献１に記載された「コードレス電話機」が知られている。特許文献１に記載された技術によれば、近距離無線通信を行う無線ＩＤタグを子機に設けるとともに、子機の無線ＩＤタグからの近距離無線通信で通知された認証コードを受信するタグインタフェース部を親機に設ける。そして、親機制御部で、タグインタフェース部を介して受信した認証コードと子機からの子機登録要求で通知された認証コードとを比較し、その比較結果に応じて子機登録要求の成否を判断する。
【先行技術文献】
【特許文献】
【０００４】
【特許文献１】特開２００６−２８７３３９号公報
【発明の概要】
【発明が解決しようとする課題】
【０００５】
しかしながら、特許文献１に記載された技術によれば、子機とペアリングされた親機のセットを確認するために、子機にＩＤタグを実装する必要があり、又、親機と子機の両方にＩＤインタフェース部を含むハードウェアの実装が必要になる。これらハードウェアの実装は、コードレス電話機のコストアップにつながる。  
【０００６】
本発明は上記した課題を解決するためになされたものであり、特別なハードウェアの実装なしに、親機とペアリングされた子機の識別を容易にしたコードレス電話機を提供することを目的とする。
【課題を解決するための手段】
【０００７】
（１）上記した課題を解決するために本発明は、回線に接続されて呼制御を行う親機と、前記親機に無線回線を介して接続され、前記回線を経由して通話を行う子機とを有するコードレス電話機であって、前記親機は、前記子機と共通のユニークな識別情報と、識別情報ごとの報知パターン情報が登録された記憶部と、前記子機が親機に載置されたことを検出する検出部と、前記報知パターン情報にしたがう報知を行う報知部と、前記検出部が、前記子機が載置されたことを検出すると、前記報知部に対し前記報知パターンに従う報知を行なわせると共に、前記識別情報に一致する子機に対し報知開始指示信号を送信して前記報知パターンによる報知を促す制御部と、を備えたことを特徴とする。  
【０００８】
（２）本発明のコードレス電話機において、前記記憶部に登録される識別情報は、ＤＥＣＴ規格のＲＦＰＩフォーマットで指定されるＰＩＮコードであり、前記報知パターン情報を前記ＰＩＮコードの特定のビットに割り当て指定することを特徴とする。  
【０００９】
（３）本発明のコードレス電話機において、前記報知部は発光手段を含み、前記制御部は、前記記憶部から前記報知パターン情報を読み出し、前記報知パターン情報により指定された点灯色、又は指定された点灯色による点灯パターンにしたがい前記発光手段の点灯制御を行うことを特徴とする。  
【００１０】
（４）本発明のコードレス電話機において、前記報知部は音声出力手段を含み、前記制御部は、特定のキー押下を検出すると前記記憶部から前記報知パターン情報を読み出し、前記報知パターン情報により指定された音声にしたがい前記音声出力手段の音声出力制御を行うことを特徴とする。電話機。
【発明の効果】
【００１１】
本発明によれば、特別なハードウェアの実装なしに、親機とペアリングされた子機の識別を容易にしたコードレス電話機を提供することができる。
【図面の簡単な説明】
【００１２】
【図１】本発明の実施の形態に係るコードレス電話機の構成図である。
【図２】本発明の実施の形態に係るコードレス電話機の動作シーケンス図である。
【発明を実施するための形態】
【００１３】
以下、添付図面を参照して、本発明を実施するための形態（以下、本実施形態と言う）について詳細に説明する。なお、実施形態の説明の全体を通して同じ要素には同じ番号又は符号を付している。  
【００１４】
（実施形態の構成）  図１に示すように、本実施形態に係るコードレス電話機１００は、回線１Ｌに接続されて呼制御を行う親機１と、親機１に無線回線３を介して接続され、回線１Ｌ経由で通信を行う子機２とを有する。  
【００１５】
本実施形態に係るコードレス電話機１００は、親機１と子機２とのペアリングのために、親機１に、子機２と共通のユニークな識別情報と、当該識別情報ごとの報知パターン情報が予め登録されている。ここでは、識別情報として、ＤＥＣＴ（Digital  Enhanced  Cordless  Telecommunications）規格のＲＦＰＩ（Radio  Fixed  Part  Identity）フォーマットで指定される２バイトのＰＩＮ（Personal  Identification  Number）コードを用い、報知パターン情報をこのＰＩＮコードの下位１ビット等、特定のビットに割り当て指定することとする。なお、報知パターンとは、報知部１４に実装した素子の発光により報知する場合、例えば、ＬＥＤ（Light  Emitted  Diode）の点灯色、ＬＥＤの点灯パターン等をいう。  
【００１６】
親機１は、網からの電話回線やボタン電話装置などの電話システムの制御装置（図示せず）からの内線回線などの回線１Ｌに接続される。親機１には、子機２を載置して充電などを行う載置場所として充電台が設けられており、この充電台に対する子機２の載置に応じて、子機２の充電端子２Ｂが親機１の充電端子１Ｂと電気的に接続され、これら充電端子１Ｂ，２Ｂを介した親機１からの給電により子機２内の電池２０が充電される。  
【００１７】
本実施形態に係るコードレス電話機１００において、親機１は、子機２が充電台に置かれ、子機２からのフック検出信号を受信すると、自身に該当する報知パターンでの報知を行なわせると共に、識別情報に一致する子機２に対し報知開始指示信号を送信して報知を促す。  
【００１８】
このため、親機１には、回線インタフェース部（以下、回線Ｉ／Ｆ部１０という）、無線インタフェース部（以下、無線Ｉ／Ｆ部１１という）、音声処理部１２、後述するＰＩＮコード情報が登録されたＥＥＰＲＯＭ等の不揮発性記憶素子が実装された第１の記憶部１３、報知部１４、操作入力部１５、後述する点灯色、点滅パターンや音による報知等の報知パターン情報が記憶されたＥＥＰＲＯＭ等の不揮発性記憶素子が実装された第２の記憶部１６、給電部１７、および親機制御部１８が設けられている。  
【００１９】
回線Ｉ／Ｆ部１０は、網や電話システムの制御装置からの回線を終端制御する回路部である。無線Ｉ／Ｆ部１１は、無線回線３を介して子機２と無線通信を行う回路部である。音声処理部１２は、親機１で子機２を用いずに通話を行うためのスピーカホン機能や、着信あるいは誤載置発生などの各種状態を利用者に通知する各種報知音の生成機能を有する回路部である。  
【００２０】
第１の記憶部１３には、親機１と子機２とのペアリングのために、親機１に、ペアリングされた子機２と共通のユニークな識別情報としてのＰＩＮコード情報が登録されている。  
【００２１】
報知部１４は、親機制御部１８からの指示に基づき、例えば、発光手段として実装されるＬＥＤやＬＣＤ（Liquid  Crystal  Device）を制御して、回線状態、着信音を含む各種状態を利用者に通知するために各種表示を行う回路部である。ここでは、報知部１４として７色ＬＥＤが実装されているものとする。親機制御部１８は、フック検出信号検出部１８ａと照合部１８ｂが設けられ、子機２から送出されるフック検出信号をフック検出信号検出部１８aが検出すると、照合部１８ｂが第２の記憶部１６から点灯色や点滅パターンによる報知パターン情報を読み出し、当該報知パターン情報により指定された点灯色、又は指定された点滅パターンにしたがいＬＥＤの点灯制御を行う。フック検出信号検出部は、子機２が親機１に置かれたことを検出する「検出部」としての役割を担う。  
【００２２】
なお、報知部１４は、スピーカ等の音声出力手段で実現してもよく、この場合、親機制御部１８は、操作入力部１５を介して特定のキー押下を検出すると、第２の記憶部１６から報知パターン情報を読み出し、当該報知パターン情報により指定された音声にしたがい音声出力手段の音声出力制御を行う。  
【００２３】
操作入力部１５は、利用者によるキー操作を検出する回路部である。第２の記憶部１６は、指定された点灯色、点滅パターンあるいは音声による報知パターン情報を記憶するメモリである。給電部１７は、充電台に載置された子機２の電池２０を充電するための電力を充電端子１Ｂから供給する回路部である。  
【００２４】
親機１は子機２の載置状態をみていないため、給電部１７に給電し続けるが、親機１と子機２との間で充電動作に用いる充電端子１Ｂ，２Ｂ間の電気的接続を検出することで子機２が置かれたことを判断してもよい。この場合、充電端子１Ｂ，２Ｂ間の電気的接続により変化する電気量、例えば、電流値や電圧値を給電部１７や子機２の充電部２７から取り込み、その変化に応じて、親機１に対する子機２の載置有無が検出される。  
【００２５】
なお、子機２の電池２０が満充電状態となった場合、親機１から子機２に対する充電電力はゼロとなる。したがって、例えば充電端子１Ｂ，２Ｂ間に常時所定値以上の電流を流しておく、あるいは所定の電位を印加しておくことにより、満充電状態であっても充電端子１Ｂ，２Ｂ間の電気的接続の有無を検出してもよい。  
【００２６】
親機制御部１８は、ＣＰＵなどのマイクロプロセッサを有し、第２の記憶部１６に記憶されたプログラムを逐次読みだし実行することにより、上記したハードウェアとプログラムとを協働させて親機１の各部を制御し、呼制御や子機２との間のペアリング処理を行う。ここでは、親機制御部１８は、フック検出信号検出部１８ａが子機２からのフック検出信号を検出すると、第１の記憶部１３から登録されているＰＩＮコード情報と、第２の記憶部１６から点灯色や報知パターン情報を読み出し、照合部１８ｂによって照合し、報知部１４に対し点灯色や点滅パターン等の報知パターン情報に従う報知を行なわせると共に、子機２に対し、報知開始を指示（報知開始指示信号の送信）して子機２の報知パターン情報による報知を促す「制御部」としての役割を担う。  
【００２７】
次に、子機２の構成について説明する。子機２には、無線インタフェース部（以下、無線Ｉ／Ｆ部２１という）、音声処理部２２、ＥＥＰＲＯＭが実装された第３の記憶部２３、報知部２４、操作入力部２５、ＥＥＰＲＯＭが実装された第４の記憶部２６、充電部２７、電池２０、状態検出部２８および子機制御部２９が設けられている。  
【００２８】
無線Ｉ／Ｆ部２１は、無線回線３を介して親機１とデータ通信を行う回路部である。音声処理部２２は、スピーカやマイク（図示せず）を用いた音声通話機能や各種報知音の生成機能を有する回路部である。第３の記憶部２３には、親機１とのペアリングのために、親機１と共通のユニークな識別情報としてのＰＩＮコード情報が登録されている。  
【００２９】
報知部２４は、無線回線３を介して親機１から受け取った指示に基づきＬＥＤやＬＣＤを制御して各種表示を行う回路部である。ここでは、報知部２４として親機１と同様に７色ＬＥＤが実装されているものとする。子機制御部２９は、後述する第４の記憶部２６から報知パターン情報を読み出し、指定された点灯色又は指定された点滅パターンにしたがいＬＥＤの点灯制御を行う。  
【００３０】
操作入力部２５は、利用者によるキー操作を検出する回路部である。第４の記憶部２６は、指定された点灯色、指定された点滅パターン又は報知音が記憶されたＥＥＰＲＯＭ等の不揮発性のメモリである。電池２０は子機２の各部で用いる動作電源を蓄電する回路部である。充電部２７は、充電端子２Ｂを介して親機１から供給された電力を電池２０へ充電する回路部である。  
【００３１】
状態検出部２８は、親機１との電気的接続を検出して親機１に載置されているか載置されていないかの状態を検出する回路部である。子機制御部２９は、ＣＰＵなどのマイクロプロセッサを有し、第４の記憶部２６のプログラムを読み込んで実行することにより、上記したハードウェアとプログラムとを協働させて子機２の各部を制御して、通話制御や子機登録処理を行う機能部である。  
【００３２】
（実施形態の動作）  以下、図２に示す動作シーケンス図を参照しながら、図１に示す本実施形態に係るコードレス電話機１００の動作について詳細に説明する。  
【００３３】
上記したように、親機１と、親機１とペアリングされた子機２には、識別情報として予め共通のＰＩＮコードが割り当てられ記憶されており、このＰＩＮコードは、無線回線３上での相互認証に使用される。また、それぞれが有する報知部１４，２４に、７色ＬＥＤを実装しているものとして説明する。  
【００３４】
まず、ユーザが子機２を親機１に載置すると、子機２の状態検出部２８が、例えば、電圧が閾値を超えたことで親機１に置かれたことを検出して子機２から親機１にフック検出信号が送出される（ステップＳ２００）。このフック検出信号は、無線回線３を介して親機１に送信される。そして、子機２は第３の記憶部２３からＰＩＮコード情報、第４の記憶部２６から点灯色、点滅パターン等の報知パターン情報を取得して照合を行い、点灯色又は点滅パターン等の報知パターンを決定する（ステップＳ２０１）。  
【００３５】
親機１は、無線Ｉ／Ｆ部１１を介して子機２からフック検出信号を受信しフック検出信号を検出する（ステップＳ１０１）と、親機制御部１８が、第１の記憶部１３からＰＩＮコード情報を読み出し、第２の記憶部１６から点灯色、点滅パターン等の報知パターン情報を取得して照合を行い、点灯色又は点滅パターン等の報知パターンを決定する（ステップＳ１０２）。次に、親機１は子機２に対し、報知開始を指示する報知開始指示信号を送信する（ステップＳ１０３）。そして、親機制御部１８は、決定した点灯色又は点滅パターンで報知するため報知部１４を制御し、指定された点灯色又は点滅パターンの報知パターンにしたがいＬＥＤを駆動する（ステップＳ１０４）。  
【００３６】
報知開始指示信号を無線Ｉ／Ｆ部２１を介して受信した子機２は、子機制御部２９が、ステップＳ２０１で決定した報知パターンにしたがいＬＥＤを駆動する（ステップＳ２０２）。  
【００３７】
このように、フック検出信号を受信した子機２とペアリングされた親機１は、子機２と同じＬＥＤ色や同じ点滅パターンで約３秒程度報知する。なお、子機２が載置された親機１が、当該子機とペアリングされていない場合、すなわち、子機２が親機１に誤載置された場合、誤載置された子機２の報知部２４に実装されたＬＥＤは、ペアリングされた親機から報知開始指示信号を受信して点灯又は点滅をするが、誤載置されている親機１には子機２からフック検出信号が受信されないため、親機１に実装されたＬＥＤは、点灯、点滅のいずれも発生しない。このことにより、ユーザは、載置された子機２が誤載置されていることを識別することができる。  
【００３８】
なお、本実施形態に係るコードレス電話機１００によれば、親機１と子機２のいずれにも報知部１４，２４に、７色ＬＥＤが実装され、ＬＥＤの点灯色、又は点滅パターンによってペアリングされている子機を識別するものとして説明したが、報知部１４，２４にスピーカ等の音声出力手段を備えることにより、報知音によっても識別が可能である。  
【００３９】
この場合、親機１は、親機制御部１８が、特定のキー押下を検出後、子機２を載置したときに、第２の記憶部１６から報知パターン情報を読み出し、当該報知パターン情報により指定された報知音にしたがい音声出力手段の音声出力制御を行う。このように、音によってもペアリングされた子機２を識別可能になるため、ペアリングされた親機１との距離が遠い場合でも当該親機１を識別することができる。  
【００４０】
（実施形態の効果）  以上説明のように本実施形態に係るコードレス電話機１００によれば、親機１にペアリングされた子機２が載置されると、報知部１４に対し、共通の識別情報によって定義される報知パターンにしたがって報知を行なわせると共に、共通の識別情報によりペアリングされた子機２に対して報知開始指示信号を送信して報知部２４による報知を促すことにより、ペアリングされた親機１と子機２が同じ報知パターンで報知されるため、特別なハードウェアの実装なしに、親機１とペアリングされた子機２を識別することが容易になる。  
【００４１】
なお、報知パターンとして、ＬＥＤ等の発光手段による発光色、及び／又は発光パターンによる報知に限らず、音声出力手段を使用した音による報知、あるいはその組み合わせでもよく、特に、音を使用した場合、親機１との距離が遠い場合でもペアリングされた子機２を容易に識別することができる。  
【００４２】
また、本実施形態に係るコードレス電話機１００によれば、共通の識別情報として、ＤＥＣＴ方式のＲＦＰＩフォーマットで指定される２バイトのＰＩＮコードを用いるものとして説明したが、ＤＥＣＴ方式に限らず、Ｂｌｕｅｔｏｏｔｈ（登録商標）やＷｉＦｉ（登録商標）等、他の無線方式でもよく、この場合、共通のＩＤ（ＰＩＮコードやＳＳＩＤ（Service  Set  Identifier）等）で代替してもよい。  
【００４３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４４】
１  親機、２  子機、３  無線回線、１０  回線Ｉ／Ｆ部、１１  無線Ｉ／Ｆ部、１２  音声処理部、１３  第１の記憶部、１４  報知部、１５  操作入力部、１６  第２の記憶部、１７  給電部、１８  親機制御部（１８ａ  フック検出信号検出部、１８ｂ  照合部）、２０  電池、２１  無線Ｉ／Ｆ部、２２  音声処理部、２３  第３の記憶部、２４  報知部、２５  操作入力部、２６  第４の記憶部、２７  充電部、２８  状態検出部  ２９  子機制御部、１００  コードレス電話機。 
【図１】
2018182702.tif 000003
【図２】
2018182702.tif 000004